(57)【特許請求の範囲】
【請求項１】
着信した呼に同一発信元による未応答の着信呼が複数存在するかどうかを確認する手段と、同一の発信元からの未応答の着信呼が複数存在すると確認された場合であって、当該複数の着信呼の最も最近着信した日時以降に当該発信元に発信した履歴がないときに、ＬＥＤを点滅させ使用者に発信元の緊急度を伝える手段を有することを特徴とする電話機。
【請求項２】
着信した呼に同一発信元による未応答の着信呼が複数存在するかどうかを確認する手段と、
同一の発信元からの未応答の着信呼が複数存在すると確認された場合であって、当該複数の着信呼の最も最近着信した日時以降に当該発信元に発信した履歴があるときに、当該複数の着信呼の着信履歴メモリにおける未応答の属性を未応答報知済みの属性に変更することにより、当該複数の着信呼の未応答の属性を着信履歴メモリから除外する手段を有することを特徴とする電話機。
【請求項３】
音の鳴動または振動の少なくともいずれかを発生する報知部と、
着信した呼に同一発信元による未応答の着信呼が複数存在するかどうかを確認する手段と、
同一の発信元からの未応答の着信呼が複数存在すると確認された場合であって、当該複数の着信呼の最も最近着信した日時以降に当該発信元に発信した履歴がないときに、前記報知部を鳴動させる中央処理回路を有することを特徴とする電話機。
【請求項４】
アンテナで受信された電磁波は無線部により増幅、復調され、ベースバンド部において前記中央処理回路で理解可能な符号に変換され、
前記中央処理回路は、受信した符号とＩＤ−ＲＯＭの内容を照合し、自機に対する着信を確認した場合に発信元の発番号を順次受信する符号から取得し、着信した呼の発番号、応答／未応答属性、着信日時を保持しておくためのエリアである着信履歴メモリエリアの空き発番号メモリに書き込みを行い、図形または文字の少なくともいずれかを表示できる表示部に使用者に呼び出しを示す表示を行うとともに、前記報知部にて報知音の鳴動、前記ＬＥＤの点滅を開始し、時計から着信した日時を取得し、前記発番号を書き込みした発番号メモリと関連付けされた前記着信履歴メモリエリアの着信日時に書き込みを行い、自機から着信呼に対する接続の応答を発信元に返した場合には前記報知部の報知音を鳴動停止し、前記ＬＥＤを消灯するとともに、前記表示部に通話状態を示す表示を行い、前記発番号を書き込みした発番号メモリと関連付けされた前記着信履歴メモリエリアの応答／未応答属性に応答の属性の書き込みを行うことを特徴とする請求項３に記載の電話機。
【請求項５】
図形または文字の少なくともいずれかを表示できる表示部と、
着信した呼に同一発信元による未応答の着信呼が複数存在するかどうかを確認する手段と、
同一の発信元からの未応答の着信呼が複数存在すると確認された場合であって、当該複数の着信呼の最も最近着信した日時以降に当該発信元に発信した履歴がないときに、前記表示部に文字列を表示させる中央処理回路を有することを特徴とする電話機。
【請求項６】
アンテナで受信された電磁波は無線部により増幅、復調され、ベースバンド部において前記中央処理回路で理解可能な符号に変換され、
前記中央処理回路は、受信した符号とＩＤ−ＲＯＭの内容を照合し、自機に対する着信を確認した場合に発信元の発番号を順次受信する符号から取得し、着信した呼の発番号、応答／未応答属性、着信日時を保持しておくためのエリアである着信履歴メモリエリアの空き発番号メモリに書き込みを行い、前記表示部に使用者に呼び出しを示す表示を行うとともに、音の鳴動または振動の少なくともいずれかを発生する報知部にて報知音の鳴動、前記ＬＥＤの点滅を開始し、時計から着信した日時を取得し、前記発番号を書き込みした発番号メモリと関連付けされた前記着信履歴メモリエリアの着信日時に書き込みを行い、自機から着信呼に対する接続の応答を発信元に返した場合には前記報知部の報知音を鳴動停止し、前記ＬＥＤを消灯するとともに、前記表示部に通話状態を示す表示を行い、前記発番号を書き込みした発番号メモリと関連付けされた前記着信履歴メモリエリアの応答／未応答属性に応答の属性の書き込みを行うことを特徴とする請求項５に記載の電話機。
【請求項７】
前記中央処理回路は、接続の応答を返す以前に発信元側から切断の通知が行われた場合、及び何らかの理由により相手に接続の応答を返すことができなかった場合には、前記報知部の報知音を鳴動停止し、前記ＬＥＤを消灯するとともに、前記表示部に待ち受け状態を示す表示を行い、前記発番号を書き込みした発番号メモリと関連付けされた前記着信履歴メモリエリアの応答／未応答属性に未応答の属性の書き込みを行うことを特徴とする請求項５または６に記載の電話機。
【請求項８】
着信した呼の発番号、応答／未応答属性、着信日時を保持しておくためのエリアである着信履歴メモリエリアと、
前記着信履歴メモリエリアにおいて同一の発番号でかつ応答／未応答属性が未応答のものが複数個存在するか検出し、当該検出結果である複数個検出発番号と当該複数個検出発番号の最も最近の着信日時を所定のメモリエリアに保持する同一発番号未応答呼検出器と、
前記同一発番号未応答呼検出器による検出結果である複数個検出発番号と当該複数個検出発番号の最も最近の着信日時を保持しておくための前記所定のメモリエリアである複数個検出発番号メモリエリアを備え、
自機が待ち受け状態中に、前記中央処理回路は、前記同一発番号未応答呼検出器を用いて前記着信履歴メモリエリアに同一発信元による未応答の着信呼が複数存在することの確認を行い、同一発信元による未応答の着信呼が複数存在することが確認できた場合には、前記複数個検出発番号メモリエリアに前記複数個検出発番号と当該複数個検出発番号の最も最近の着信日時の書き込みを行うことを特徴とする請求項７に記載の電話機。
【請求項９】
未応答の同一の発番号による着信呼が複数回あり、当該着信呼の最も最近着信した着信日時以降に当該着信呼の発番号に発信していない場合に検出属性が書き込まれ、発信している場合には未検出属性が書き込まれるエリアである複数個検出済みメモリエリアを備え、
前記中央処理回路は、発信動作を行った場合に発信先の着番号の書き込みが行われる発信履歴メモリエリアの着番号メモリと、前記時計から取得した発信動作を行った日時が書き込まれる前記着番号の書き込みが行われた着番号メモリと関連付けされた前記発信履歴メモリエリアの発信日時に、前記複数個検出発番号メモリエリアに書き込まれている未応答の着信呼の発番号と同一の着番号へ最も最近の着信時刻以降に発信を行った記録の有無の確認を行い、確認結果記録がない場合には、前記複数個検出済みメモリエリアに検出属性を書き込み前記ＬＥＤを点滅させ、一方、確認結果記録がある場合には前記複数個検出済みメモリエリアに未検出属性を書き込んで前記ＬＥＤを消灯させることを特徴とする請求項８に記載の電話機。
【請求項１０】
着信した呼に同一発信元による未応答の着信呼が複数存在するかどうかを確認する工程と、同一の発信元からの未応答の着信呼が複数存在すると確認された場合であって、当該複数の着信呼の最も最近着信した日時以降に当該発信元に発信した履歴がないときに、ＬＥＤを点滅させ使用者に発信元の緊急度を伝える工程を有することを特徴とする着信履歴処理方法。
【発明の詳細な説明】
【０００１】
【発明の属する技術分野】
本発明は、電話機の着信履歴処理技術に係り、特に着信呼に対する応答／未応答の属性を確認し、同一の発信元からの未応答の着信呼が複数存在する場合にはＬＥＤ（発光ダイオード）を点滅させ使用者に発信元の緊急度を伝えることができる電話機及び着信履歴処理方法に関する。
【０００２】
【従来の技術】
電話機の着信履歴処理にかかる従来技術としては、例えば、特開２０００−０３２１１６号公報に記載のものがある。上記従来技術に記載のシステムは、被呼び出し状態の継続期間を計測する計測手段を用いることにより、被呼び出し状態の継続期間を使用者に知らせ、発信元の呼び出しの重要度を知らせるものである。
【０００３】
【発明が解決しようとする課題】
しかしながら、従来技術には、被呼び出し状態の継続期間が長い必要があるという問題点があった。その理由は、被呼び出し状態の継続期間が発信元の呼び出しの重要度の目安であるからである。
【０００４】
本発明は斯かる問題点を鑑みてなされたものであり、その目的とするところは、着信呼に対する応答／未応答の属性を確認し、同一の発信元からの未応答の着信呼が複数存在する場合にはＬＥＤを点滅させ使用者に発信元の緊急度を伝えることができる電話機及び着信履歴処理方法を提供する点にある。
【０００５】
【課題を解決するための手段】
この発明の請求項１に記載の発明の要旨は、着信した呼に同一発信元による未応答の着信呼が複数存在するかどうかを確認する手段と、同一の発信元からの未応答の着信呼が複数存在すると確認された場合であって、当該複数の着信呼の最も最近着信した日時以降に当該発信元に発信した履歴がないときに、ＬＥＤを点滅させ使用者に発信元の緊急度を伝える手段を有することを特徴とする電話機に存する。
また、この発明の請求項２に記載の発明の要旨は、着信した呼に同一発信元による未応答の着信呼が複数存在するかどうかを確認する手段と、同一の発信元からの未応答の着信呼が複数存在すると確認された場合であって、当該複数の着信呼の最も最近着信した日時以降に当該発信元に発信した履歴があるときに、当該複数の着信呼の着信履歴メモリにおける未応答の属性を未応答報知済みの属性に変更することにより、当該複数の着信呼の未応答の属性を着信履歴メモリから除外する手段を有することを特徴とする電話機に存する。
また、この発明の請求項３に記載の発明の要旨は、音の鳴動または振動の少なくともいずれかを発生する報知部と、着信した呼に同一発信元による未応答の着信呼が複数存在するかどうかを確認する手段と、同一の発信元からの未応答の着信呼が複数存在すると確認された場合であって、当該複数の着信呼の最も最近着信した日時以降に当該発信元に発信した履歴がないときに、前記報知部を鳴動させる中央処理回路を有することを特徴とする電話機に存する。
また、この発明の請求項４に記載の発明の要旨は、アンテナで受信された電磁波は無線部により増幅、復調され、ベースバンド部において前記中央処理回路で理解可能な符号に変換され、前記中央処理回路は、受信した符号とＩＤ−ＲＯＭの内容を照合し、自機に対する着信を確認した場合に発信元の発番号を順次受信する符号から取得し、着信した呼の発番号、応答／未応答属性、着信日時を保持しておくためのエリアである着信履歴メモリエリアの空き発番号メモリに書き込みを行い、図形または文字の少なくともいずれかを表示できる表示部に使用者に呼び出しを示す表示を行うとともに、前記報知部にて報知音の鳴動、前記ＬＥＤの点滅を開始し、時計から着信した日時を取得し、前記発番号を書き込みした発番号メモリと関連付けされた前記着信履歴メモリエリアの着信日時に書き込みを行い、自機から着信呼に対する接続の応答を発信元に返した場合には前記報知部の報知音を鳴動停止し、前記ＬＥＤを消灯するとともに、前記表示部に通話状態を示す表示を行い、前記発番号を書き込みした発番号メモリと関連付けされた前記着信履歴メモリエリアの応答／未応答属性に応答の属性の書き込みを行うことを特徴とする請求項３に記載の電話機に存する。
また、この発明の請求項５に記載の発明の要旨は、図形または文字の少なくともいずれかを表示できる表示部と、着信した呼に同一発信元による未応答の着信呼が複数存在するかどうかを確認する手段と、同一の発信元からの未応答の着信呼が複数存在すると確認された場合であって、当該複数の着信呼の最も最近着信した日時以降に当該発信元に発信した履歴がないときに、前記表示部に文字列を表示させる中央処理回路を有することを特徴とする電話機に存する。
また、この発明の請求項６に記載の発明の要旨は、アンテナで受信された電磁波は無線部により増幅、復調され、ベースバンド部において前記中央処理回路で理解可能な符号に変換され、前記中央処理回路は、受信した符号とＩＤ−ＲＯＭの内容を照合し、自機に対する着信を確認した場合に発信元の発番号を順次受信する符号から取得し、着信した呼の発番号、応答／未応答属性、着信日時を保持しておくためのエリアである着信履歴メモリエリアの空き発番号メモリに書き込みを行い、前記表示部に使用者に呼び出しを示す表示を行うとともに、音の鳴動または振動の少なくともいずれかを発生する報知部にて報知音の鳴動、前記ＬＥＤの点滅を開始し、時計から着信した日時を取得し、前記発番号を書き込みした発番号メモリと関連付けされた前記着信履歴メモリエリアの着信日時に書き込みを行い、自機から着信呼に対する接続の応答を発信元に返した場合には前記報知部の報知音を鳴動停止し、前記ＬＥＤを消灯するとともに、前記表示部に通話状態を示す表示を行い、前記発番号を書き込みした発番号メモリと関連付けされた前記着信履歴メモリエリアの応答／未応答属性に応答の属性の書き込みを行うことを特徴とする請求項５に記載の電話機に存する。
また、この発明の請求項７に記載の発明の要旨は、前記中央処理回路は、接続の応答を返す以前に発信元側から切断の通知が行われた場合、及び何らかの理由により相手に接続の応答を返すことができなかった場合には、前記報知部の報知音を鳴動停止し、前記ＬＥＤを消灯するとともに、前記表示部に待ち受け状態を示す表示を行い、前記発番号を書き込みした発番号メモリと関連付けされた前記着信履歴メモリエリアの応答／未応答属性に未応答の属性の書き込みを行うことを特徴とする請求項５または６に記載の電話機に存する。
また、この発明の請求項８に記載の発明の要旨は、着信した呼の発番号、応答／未応答属性、着信日時を保持しておくためのエリアである着信履歴メモリエリアと、前記着信履歴メモリエリアにおいて同一の発番号でかつ応答／未応答属性が未応答のものが複数個存在するか検出し、当該検出結果である複数個検出発番号と当該複数個検出発番号の最も最近の着信日時を所定のメモリエリアに保持する同一発番号未応答呼検出器と、前記同一発番号未応答呼検出器による検出結果である複数個検出発番号と当該複数個検出発番号の最も最近の着信日時を保持しておくための前記所定のメモリエリアである複数個検出発番号メモリエリアを備え、自機が待ち受け状態中に、前記中央処理回路は、前記同一発番号未応答呼検出器を用いて前記着信履歴メモリエリアに同一発信元による未応答の着信呼が複数存在することの確認を行い、同一発信元による未応答の着信呼が複数存在することが確認できた場合には、前記複数個検出発番号メモリエリアに前記複数個検出発番号と当該複数個検出発番号の最も最近の着信日時の書き込みを行うことを特徴とする請求項７に記載の電話機に存する。
また、この発明の請求項９に記載の発明の要旨は、未応答の同一の発番号による着信呼が複数回あり、当該着信呼の最も最近着信した着信日時以降に当該着信呼の発番号に発信していない場合に検出属性が書き込まれ、発信している場合には未検出属性が書き込まれるエリアである複数個検出済みメモリエリアを備え、前記中央処理回路は、発信動作を行った場合に発信先の着番号の書き込みが行われる発信履歴メモリエリアの着番号メモリと、前記時計から取得した発信動作を行った日時が書き込まれる前記着番号の書き込みが行われた着番号メモリと関連付けされた前記発信履歴メモリエリアの発信日時に、前記複数個検出発番号メモリエリアに書き込まれている未応答の着信呼の発番号と同一の着番号へ最も最近の着信時刻以降に発信を行った記録の有無の確認を行い、確認結果記録がない場合には、前記複数個検出済みメモリエリアに検出属性を書き込み前記ＬＥＤを点滅させ、一方、確認結果記録がある場合には前記複数個検出済みメモリエリアに未検出属性を書き込んで前記ＬＥＤを消灯させることを特徴とする請求項８に記載の電話機に存する。
また、この発明の請求項１０に記載の発明の要旨は、着信した呼に同一発信元による未応答の着信呼が複数存在するかどうかを確認する工程と、同一の発信元からの未応答の着信呼が複数存在すると確認された場合であって、当該複数の着信呼の最も最近着信した日時以降に当該発信元に発信した履歴がないときに、ＬＥＤを点滅させ使用者に発信元の緊急度を伝える工程を有することを特徴とする着信履歴処理方法に存する。
【０００６】
【発明の実施の形態】
本発明は、電話機が着信呼に対する応答／未応答の属性を確認し、同一の発信元からの未応答の着信呼が複数存在する場合にはＬＥＤ（発光ダイオード）を点滅させ使用者に発信元の緊急度を伝えることができる構成を提供するものである。以下、本発明の実施の形態を図面に基づいて詳細に説明する。
【０００７】
（第１の実施の形態）
以下、本発明の第１の実施の形態を図面に基づいて詳細に説明する。図１は、本発明の第１の実施の形態に係る電話機２０を説明するための機能ブロック図である。図１において、１はアンテナ、２は無線部、３はベースバンド部、４は時計、５はキーボード、６はＩＤ−ＲＯＭ（固有の識別パターンを保持したロム）、７は表示部、８はＬＥＤ（発光ダイオード）、９は報知部、１０は中央処理回路、１１は同一発番号未応答呼検出器、１２は中央処理部、１３はメモリ、１４は着信履歴メモリエリア、１５は発信履歴メモリエリア、１６は複数個検出済みメモリエリア、１７は汎用メモリエリア、１８は複数個検出発番号メモリエリア、２０は本実施の形態の電話機を示している。
【０００８】
図１を参照すると、本実施の形態の電話機２０では、アンテナ１が接続された無線部２がベースバンド部３に接続されている。ベースバンド部３は中央処理回路１０に接続されている。
【０００９】
中央処理部１２は、プログラム制御により動作する中央処理回路１０と、同一発番号未応答呼検出器１１から構成されている。
【００１０】
中央処理回路１０には、時計４、キーボード５、ＩＤ−ＲＯＭ６、表示部７、ＬＥＤ８、報知部９、メモリ１３が接続されている。
【００１１】
メモリ１３は、着信履歴メモリエリア１４、発信履歴メモリエリア１５、複数個検出済みメモリエリア１６、汎用メモリエリア１７を中心にして構成されている。
【００１２】
以下に、本実施の形態の電話機２０の各部の機能を概略する。図１を参照すると、アンテナ１は、空間の電磁波を電力として取り込み、無線部２へ伝達する。無線部２はアンテナ１から入力された電力を増幅及び復調処理を行って、ベースバンド部３へ伝達する。
【００１３】
ベースバンド部３は、復調された信号を中央処理回路１０で理解が可能なデジタル信号に変換する。また、ベースバンド部３は中央処理回路１０から伝達された信号を変調可能な状態に変換して無線部２へ伝達する。
【００１４】
無線部２はベースバンド部３から伝達された信号により変調及び増幅処理を行って、アンテナ１に伝達する。アンテナ１は無線部２から与えられた電力を空間へ電磁波として放射する。
【００１５】
時計４は、日付と時刻をカウントし常に現在日付と時刻を保持している。保持している時刻は中央処理回路１０から読み書きが可能である。
【００１６】
キーボード５は使用者が意志を入力するための構造で構成され、例えば、ボタン群などがある。ここでキーボード５を使って入力された信号は中央処理回路１０に入力される。
【００１７】
ＩＤ−ＲＯＭ６は自機（電話機２０）の固有の識別パターンを保持している。表示部７は中央処理回路１０からの指示で図形や文字などの表示を行うことができる。ＬＥＤ８は中央処理回路１０によって点灯または消灯を行うことができる。
【００１８】
報知部９は中央処理回路１０からの指示に応じて音の鳴動や振動を発生することが可能である。中央処理回路１０は、アンテナ１から入力された電磁波に含まれる固有の識別信号とＩＤ−ＲＯＭ６の内容を照合し自機宛ての信号の識別を行うことができる。メモリ１３は中央処理回路１０の演算結果を読み書きできる。
【００１９】
着信履歴メモリエリア１４は、着信した呼の発番号、応答／未応答属性、着信日時を保持しておくためのエリアである。また、発信履歴メモリエリア１５は、発信した呼の着番号、発信日時を保持しておくためのエリアである。
【００２０】
複数個検出済みメモリエリア１６は、未応答の同一の発番号による着信呼が複数回あり、当該着信呼の最も最近着信した着信日時以降に当該着信呼の発番号に発信していない場合に検出属性が書き込まれ、発信している場合には未検出属性が書き込まれるエリアである。
【００２１】
複数個検出発番号メモリエリア１８は、後述の同一発番号未応答呼検出器１１による検出結果の複数個検出発番号とその発番号の最も最近の着信日時を保持しておくためのエリアである。
【００２２】
汎用メモリエリア１７は、中央処理回路１０が前述の着信履歴メモリエリア１４、発信履歴メモリエリア１５、複数個検出済みメモリエリア１６、複数個検出発番号メモリエリア１８以外に必要な演算結果を保持しておくためのエリアである。
【００２３】
同一発番号未応答呼検出器１１は、着信履歴メモリエリア１４において同一の発番号でかつ応答／未応答属性が未応答のものが複数個存在するか検出し、複数個検出発番号メモリエリア１８にその検出結果の複数個検出発番号とその発番号の最も最近の着信日時を保持する機能を有している。
【００２４】
次に、本実施の形態の電話機２０の動作を説明する。図１を参照すると、本実施の形態では、アンテナ１で受信された電磁波は無線部２により増幅、復調され、ベースバンド部３において中央処理回路１０で理解可能な符号に変換される。
【００２５】
中央処理回路１０は、受信した符号とＩＤ−ＲＯＭ６の内容を照合し、自機に対する着信を確認した場合に発信元の発番号を順次受信する符号から取得し、着信履歴メモリエリア１４の空き発番号メモリに書き込みを行い、表示部７を用いて使用者に呼び出しを示す表示を行うとともに、報知部９を用いて報知音の鳴動、及びＬＥＤ８の点滅を開始し、時計４から着信した日時を取得し前述の発番号を書き込みした発番号メモリと関連付けされた着信履歴メモリエリア１４の着信日時に書き込みを行う。自機から着信呼に対する接続の応答を発信元に返した場合には報知部９の報知音を鳴動停止し、ＬＥＤ８を消灯するとともに、表示部７に通話状態を示す表示を行い、前述の発番号を書き込みした発番号メモリと関連付けされた着信履歴メモリエリア１４の応答／未応答属性に応答の属性の書き込みを行う。接続の応答を返す以前に発信元側から切断の通知が行われた場合や、何らかの理由により相手に接続の応答を返すことができなかった場合には報知部９の報知音を鳴動停止し、ＬＥＤ８を消灯するとともに、表示部７に待ち受け状態を示す表示を行い、前述の発番号を書き込みした発番号メモリと関連付けされた着信履歴メモリエリア１４の応答／未応答属性に未応答の属性の書き込みを行う。
【００２６】
また、電話機２０が待ち受け状態中に、中央処理回路１０は、同一発番号未応答呼検出器１１を用いて着信履歴メモリエリア１４に同一発信元による未応答の着信呼が複数存在するかの確認を行い、同一発信元による未応答の着信呼が複数存在することが確認できた場合には、複数個検出発番号メモリエリア１８に複数個検出した発番号とその発番号の最も最近の着信日時の書き込みを行う。
【００２７】
また、中央処理回路１０は、発信動作を行った場合に発信先の着番号の書き込みが行われる発信履歴メモリエリア１５の着番号メモリと、時計４から取得した発信動作を行った日時が書き込まれる前述の着番号の書き込みが行われた着番号メモリと関連付けされた発信履歴メモリエリア１５の発信日時に、前述の複数個検出発番号メモリエリア１８に書き込まれている未応答の着信呼の発番号と同一の着番号へ最も最近の着信時刻以降に発信を行った記録の有無の確認を行い、確認結果記録がない場合には複数個検出済みメモリエリア１６に検出属性を書き込みＬＥＤ８を点滅させ、一方、確認結果記録がある場合には複数個検出済みメモリエリア１６に未検出属性を書き込んでＬＥＤ８を消灯させる。
【００２８】
これにより、同一の発信元からの未応答の着信呼が複数存在する場合にはＬＥＤ８を点滅させ使用者に発信元の緊急度を伝えることができるようになる。
【００２９】
次に、図１、図２及び図３のフローチャートを参照して本実施の形態の全体の動作（着信履歴処理方法）について詳細に説明する。図２は、本発明の第１の実施の形態に係る着信履歴処理方法を説明するためのフローチャートであり、図３は、第１の実施の形態の中央処理回路１０の同一発番号未応答検出処理を説明するためのフローチャートである。
【００３０】
図２及び図３を参照すると、本実施の形態では、中央処理回路１０が同一発番号未応答呼検出器１１に検出指示を行うことにより同一発番号未応答呼検出を開始する（ステップＡ０１）。同一発番号未応答呼検出器１１は着信履歴メモリエリア１４から応答／未応答属性が未応答である発番号メモリの抽出を行う（ステップＢ０１）。
【００３１】
続いて、上記ステップＢ０１で抽出した発番号に同一のものが複数あるか確認を行う（ステップＢ０２）。上記ステップＢ０２において同一の発番号が複数ないと判断された場合（ステップＢ０２のＮＯ）には、未応答の同一の発番号が未検出であったとして中央処理回路１０に報告を行い（ステップＢ０３）、その後に、処理を終了する。また、上記ステップＢ０２において同一の発番号が複数あると判断された場合（ステップＢ０２のＹＥＳ）には、未応答の同一の発番号が検出されたとして中央処理回路１０に報告を行い（ステップＢ０４）、全ての検出された発番号を着信した最も最近の日時と検出した発番号を複数個検出発番号メモリエリア１８の複数個検出発番号メモリに保存した上で、最も最近の着信日時も同時に保存し（ステップＢ０５）、その後に、処理を終了する。
【００３２】
同一発番号未応答呼検出を完了した報告を受けた中央処理回路１０は、未応答呼検出が検出されたか判断を行う（ステップＡ０１→ステップＡ０２）。未応答呼が検出されなかった場合は（ステップＡ０２のＮＯ）、複数個検出済みメモリエリア１６の未応答呼検出済み属性をクリアし（ステップＡ０８）、その後中央処理回路１０はＬＥＤ８を消灯させ（ステップＡ１０）、処理を終了する。
【００３３】
一方、未応答呼が検出された場合には（ステップＡ０２のＹＥＳ）、検出した発番号とその最も最近の着信日時の読み出しを複数個検出発番号メモリエリア１８から行い（ステップＡ０３）、読み出した発番号と同一の着番号が発信履歴メモリエリア１５の着番号メモリに存在するか確認を行う（ステップＡ０４）。
【００３４】
上記ステップＡ０４で確認した結果同一の着番号が存在しない場合は（ステップＡ０４のＮＯ）、複数個検出済みメモリエリア１６の未応答呼検出済み属性をセットする（ステップＡ０７）。一方、同一の着番号が存在する場合は（ステップＡ０４のＹＥＳ）、その存在した着番号に発信を行った日時と、その着番号と同一の発番号から着信が掛かった最も最近の未応答呼の着信日時の比較を行う（ステップＡ０５）。
【００３５】
上記ステップＡ０５の比較結果、最も最近の未応答呼の着信日時が新しい場合には（ステップＡ０５のＮＯ）、複数個検出済みメモリエリア１６の未応答呼検出済み属性をセットする（ステップＡ０７）。一方、最も最近の未応答呼の着信日時が古い場合には（ステップＡ０５のＹＥＳ）、発信履歴メモリエリア１５の該当する同一の発番号メモリと関連付けられた応答／未応答属性を、未応答報知済みの属性、すなわち、未応答呼であるが着信を受けてからその未応答呼に発信を行った旨の属性とすることにより、その未応答呼を同一発番号未応答呼検出の対象外とし（ステップＡ０６）、複数個検出済みメモリエリア１６の未応答呼検出済み属性をクリアする（ステップＡ０８）。
【００３６】
上記ステップＡ０７で複数個検出済みメモリエリア１６の未応答呼検出済み属性をセットした後に中央処理回路１０は、ＬＥＤ８を点滅させ（ステップＡ０９）、その後に、処理を終了する。
【００３７】
本発明は以上のように構成されているので、以下に掲げる効果を奏する。まず第１の効果は、未応答の着信呼が同一の発番号で複数あった場合に、ＬＥＤ８を点滅でき、その結果、電話機２０の使用者は未応答の着信呼の発信元の緊急度を知ることができることである。その理由は、同一発番号未応答呼検出器１１によって未応答の着信呼が同一の発番号で複数あることを検出できるためである。
【００３８】
そして第２の効果は、未応答の着信呼が同一の発番号で複数ある場合であって、その複数ある発番号をもつ未応答の着信呼の最も最近の着信日時より後に、前述の着信呼の発番号に発信した履歴があるときに、前述の着信呼のもつ応答／未応答属性を未応答報知済みにでき、その結果、未応答の着信呼の発信元に連絡を終えた着信履歴によって不必要にＬＥＤ８が点滅することがなくなることである。その理由は、未応答の着信呼が同一の発番号で複数ある場合に、その複数ある発番号をもつ未応答の着信呼の最も最近の着信日時と、前述の着信呼の発番号と同一の着番号へ発信を行った日時の比較を行えるからである。
【００３９】
（第２の実施の形態）
次に、本発明の第２の実施の形態について図面を参照して詳細に説明する。図４は、第２の実施の形態に係る着信履歴処理方法を説明するためのフローチャートである。なお、上記第１の実施の形態において既に記述したものと同一の部分については、同一符号を付し、重複した説明は省略する。
【００４０】
図４を参照すると、本実施の形態では、ステップＣ０９と、ステップＣ１０が、上記図２で示した第１の実施の形態における上記ステップＡ０９、ステップＡ１０と、次の点で異なっている。
【００４１】
すなわち、本実施の形態のステップＣ０９では報知部９の鳴動を開始させているが、上記第１の実施の形態のステップＡ０９ではＬＥＤ８を点滅させている。同様に、本実施の形態のステップＣ１０では報知部９の鳴動を停止させているが、上記第１の実施の形態のステップＡ１０ではＬＥＤ８を消灯させている。
【００４２】
（第３の実施の形態）
次に、本発明の第３の実施の形態について図面を参照して詳細に説明する。図５は、本発明の第３の実施の形態に係る着信履歴処理方法を説明するためのフローチャートである。なお、上記第１の実施の形態において既に記述したものと同一の部分については、同一符号を付し、重複した説明は省略する。
【００４３】
図５を参照すると、本実施の形態では、ステップＤ０９と、ステップＤ１０が、上記図２で示した第１の実施の形態におけるステップＡ０９、ステップＡ１０と、次の点で異なっている。
【００４４】
すなわち、本実施の形態のステップＤ０９では表示部７に文字列を表示させているが、上記第１の実施の形態のステップＡ０９ではＬＥＤ８を点滅させている。同様に、本実施の形態のステップＤ１０では表示部７の文字列を消去させているが、上記第１の実施の形態のステップＡ１０ではＬＥＤ８を消灯させている。
【００４５】
なお、本発明が上記各実施の形態に限定されず、本発明の技術思想の範囲内において、上記各実施の形態は適宜変更され得ることは明らかである。また上記構成部材の数、位置、形状等は上記各実施の形態に限定されず、本発明を実施する上で好適な数、位置、形状等にすることができる。また、各図において、同一構成要素には同一符号を付している。
【００４６】
【発明の効果】
本発明は以上のように構成されているので、以下に掲げる効果を奏する。まず第１の効果は、未応答の着信呼が同一の発番号で複数あった場合に、ＬＥＤを点滅でき、その結果、電話機の使用者は未応答の着信呼の発信元の緊急度を知ることができることである。その理由は、同一発番号未応答呼検出器によって未応答の着信呼が同一の発番号で複数あることを検出できるためである。
【００４７】
そして第２の効果は、未応答の着信呼が同一の発番号で複数ある場合であって、その複数ある発番号をもつ未応答の着信呼の最も最近の着信日時より後に、前述の着信呼の発番号に発信した履歴があるときに、前述の着信呼のもつ応答／未応答属性を未応答報知済みにでき、その結果、未応答の着信呼の発信元に連絡を終えた着信履歴によって不必要にＬＥＤが点滅することがなくなることである。その理由は、未応答の着信呼が同一の発番号で複数ある場合に、その複数ある発番号をもつ未応答の着信呼の最も最近の着信日時と、前述の着信呼の発番号と同一の着番号へ発信を行った日時の比較を行えるからである。
【図面の簡単な説明】
【図１】本発明の第１の実施の形態に係る電話機を説明するための機能ブロック図である。
【図２】本発明の第１の実施の形態に係る着信履歴処理方法を説明するためのフローチャートである。
【図３】第１の実施の形態の中央処理回路の同一発番号未応答検出処理を説明するためのフローチャートである。
【図４】本発明の第２の実施の形態に係る着信履歴処理方法を説明するためのフローチャートである。
【図５】本発明の第３の実施の形態に係る着信履歴処理方法を説明するためのフローチャートである。
【符号の説明】
１…アンテナ
２…無線部
３…ベースバンド部
４…時計
５…キーボード
６…ＩＤ−ＲＯＭ
７…表示部
８…ＬＥＤ
９…報知部
１０…中央処理回路
１１…同一発番号未応答呼検出器
１２…中央処理部
１３…メモリ
１４…着信履歴メモリエリア
１５…発信履歴メモリエリア
１６…複数個検出済みメモリエリア
１７…汎用メモリエリア
１８…複数個検出発番号メモリエリア
２０…電話機
【図１】
0003626692.tif 000002
【図２】
0003626692.tif 000003
【図３】
0003626692.tif 000004
【図４】
0003626692.tif 000005
【図５】
0003626692.tif 000006